(57)【要約】【課題】圧縮木材からなる外装材を有する電子機器において、脱臭および吸湿の作用を有し、かつ、筐体の変形や、強度低下、電子回路の短絡等の不具合を生じない電子機器を提供すること。【解決手段】圧縮木材からなる外装材１０を有する電子機器１。外装材は、少なくとも２つの構成部分１１，１２が接合部１１ｂ，１２ｃにおいて接合されて形成されており、接合部が炭化処理されている。外装材は、その厚さ方向に貫通する孔を有しており、孔の周面が炭化処理されている。外装材は、接合部１１ｂ，１２ｃのみを炭化処理し、略全面を炭化しないため、脱臭および吸湿の作用を有するとともに、筐体の変形や、強度低下、電子回路の短絡等の不具合を生じない。【選択図】        図１
2005353748.tif 000002
【特許請求の範囲】
【請求項１】
圧縮木材からなる外装材を有する電子機器において、
前記外装材は、少なくとも２つの構成部分が接合部において接合されて形成されており、
前記接合部が炭化処理されていることを特徴とする電子機器。
【請求項２】
前記外装材は、その厚さ方向に貫通する孔を有しており、
前記孔の周面が炭化処理されていることを特徴とする請求項１に記載の電子機器。
【発明の詳細な説明】
【技術分野】
【０００１】
本発明は、圧縮木材からなる外装材を有する電子機器に関するものである。
【背景技術】
【０００２】
従来、カメラ，携帯通信機器（主に携帯電話機），ＩＣレコーダ，ＰＤＡ(Personal Digital Assistant)，携帯テレビ，携帯ラジオ或いは各種家電製品のリモコン等の携帯型電子機器は、大量生産性，成形性，堅牢性或いは耐腐食性等の観点から、外装材にＡＢＳ，ポリカーボネート，アクリル等の合成樹脂やアルミニウム，ステンレス，チタン，マグネシウム合金等の金属が多用されている。
【０００３】
そして、電子機器の外装材は、独特の風合いを有し、人体に馴染み易く、環境に優しい素材として木材や木材を加工処理した木質材料を使用することが提案されている（例えば、特許文献１参照）。
【０００４】
【特許文献１】特開２００４−６４０２１号公報
【発明の開示】
【発明が解決しようとする課題】
【０００５】
ところで、電子機器は、一般に、内部に収容された電子部品が発熱して臭気を発したり、外部から湿気が侵入すると電子部品に悪影響を及ぼすという不具合を有している。特許文献１に記載の電子機器は、筐体を構成する木材又は木質材料の片面に炭化層が形成されており、この炭化層が脱臭および吸湿の作用を有するため、上記不具合を抑制することは可能である。しかしながら、特許文献１に記載の電子機器における炭化層は、電磁シールド層として機能させるために、外装材の片面略全面に形成されている。そのため、特許文献１の電子機器は、炭化処理時に筐体が変形しやすい、筐体の強度が低下する、炭化層が剥落を起こして電子回路に付着し短絡を生じる等の問題点があった。
【０００６】
本発明は、上記に鑑みてなされたものであって、圧縮木材からなる外装材を有する電子機器において、脱臭および吸湿の作用を有し、かつ、筐体の変形や、強度低下、電子回路の短絡等の不具合を生じない電子機器を提供することを目的とする。
【課題を解決するための手段】
【０００７】
上述した課題を解決し、目的を達成するために、請求項１に係る電子機器は、圧縮木材からなる外装材を有する電子機器において、前記外装材は、少なくとも２つの構成部分が接合部において接合されて形成されており、前記接合部が炭化処理されていることを特徴とする。
【０００８】
また、請求項２に係る電子機器は、上記の発明において、前記外装材は、その厚さ方向に貫通する孔を有しており、前記孔の周面が炭化処理されていることを特徴とする。
【発明の効果】
【０００９】
本発明にかかる電子機器は、圧縮木材からなる外装材を有する電子機器において、炭化処理した接合部が電子部品から発せられる臭気や外部から侵入しようとする湿気を吸着するため、接合部を通じた外部への臭気の漏れ出しや外部からの湿気の侵入を抑えるという効果を有する。また、接合部のみを炭化処理することとしたので、筐体の変形や、強度低下、電子回路の短絡等の不具合を生じないという効果を奏する。
【００１０】
また、外装材は、その厚さ方向に貫通する孔の周面が炭化処理されているので、この孔を通じた外部への臭気の漏れ出しや、外部からの湿気の侵入を抑えるという効果を有する。
【発明を実施するための最良の形態】
【００１１】
以下、本発明の電子機器にかかる実施の形態について、図面を参照しつつ詳細に説明する。図１は、本発明の電子機器にかかる一例としてレンズバリアが閉じた状態のデジタルカメラを示す斜視図である。図２は、図１のデジタルカメラにおいて、レンズバリアを開いた撮影モードの状態を示す斜視図である。図３は、図１のデジタルカメラを撮像レンズの部分に沿って水平に切断した断面図である。
【００１２】
デジタルカメラ１は、図１乃至図３に示すように、圧縮木材からなる外装材１０の内部に内部機構１４及び撮像レンズ１５が収納され、外装材１０の上部にはダイヤルスイッチ１７が設けられている。
【００１３】
外装材１０は、例えば、板目が前面或いは後面となるように木取りした前カバー１１、後カバー１２及びレンズバリア１３を有している。外装材１０は、レンズバリア１３を取り付けた前カバー１１を後カバー１２と嵌合させてデジタルカメラ１の筐体を形成する。ここで、前カバー１１、後カバー１２及びレンズバリア１３を構成する圧縮木材は、檜，檜葉，桐，杉，松，桜，チーク，マホガニー等の無垢材をそれぞれの形状に合わせて切り出し、所定の圧縮加工を施したものである。
【００１４】
前カバー１１は、図３に示すように、撮像レンズ１５を突出させるレンズ孔１１ａが中央に設けられ、外縁部１１ｂには嵌合凹部１１ｃが後述する蓋１２ｂ及び切欠き１１ｄの部分を除いて全周に亘って設けられている。また、前カバー１１は、半円形の切欠き１１ｄ（図６参照）が上縁に形成されている。切欠き１１ｄは、前カバー１１と後カバー１２とを嵌合したときに、後カバー１２の対応する位置に形成された半円形の切欠き１２ｅ（図５参照）と共にダイヤルスイッチ１７を挿通する貫通孔を形成する。
【００１５】
ここで、外縁部１１ｂは、後カバー１２との接合部であり、図１〜図４に示すように、嵌合凹部１１ｃと共に表面が炭化処理されて炭化層Ｌcが形成されている。前カバー１１は、外縁部１１ｂに炭化層Ｌcを形成することにより、湿気の吸収や排出による外縁部１１ｂの伸縮が固定される。但し、外縁部１１ｂは、炭化によって伸縮を固定しただけであるから、湿気を吸収したり排出したりすることは可能である。これは、後カバー１２の外縁部１２ｃも同様である。ここで、図３は、外装材１０の内部構造を示すためレンズバリア１３は省略している。
【００１６】
後カバー１２は、液晶モニタ１６を取り付ける装着口１２ａ（図３参照）が略中央に設けられ、側部には接続端子１４ｅに接続される接続ケーブルを抜き差しする接続口を開閉自在に覆う蓋１２ｂが設けられている（図１，図２参照）。後カバー１２は、図３及び図５に示すように、外縁部１２ｃに前カバー１１の嵌合凹部１１ｃと嵌め合わされる嵌合突条１２ｄが蓋１２ｂ及び切欠き１２ｅの部分を除いて全周に亘って設けられている。外縁部１２ｃは、前カバー１１との接合部であり、図１〜図３に示すように、嵌合突条１２ｄと共に表面が炭化処理されて炭化層Ｌcが形成されている。後カバー１２は、図５及び図６に示すように、ダイヤルスイッチ１７を挿通する貫通孔を形成する半円形の切欠き１２ｅが上縁に形成されている。
【００１７】
レンズバリア１３は、前カバー１１の前部を部分的に覆うと共に、前カバー１１に左右方向へスライド自在に取り付けられる。レンズバリア１３は、図２に示すように、ダイヤルスイッチ１７側へ移動させると撮影モードがオンとなり、撮像レンズ１５がレンズ孔１１ａから突出する。一方、レンズバリア１３は、図１に示す中央に戻すと撮影モードがオフとなり、撮像レンズ１５がレンズ孔１１ａから外装材１０内へ収納される。レンズバリア１３は、図４に示すように、前カバー１１の前部上下に設けたガイドレール１１ｅと係合して摺動する摺動片１３ａが上下の縁部に設けられている。
【００１８】
内部機構１４は、図３に示すように、ＣＣＤ等の撮像素子１４ａ、撮像素子１４ａの駆動回路１４ｂ、液晶モニタ１６の駆動回路１４ｃ、画像記録媒体への記録装置１４ｄ及び外部パソコンとの接続端子１４ｅ等を有している。ここで、内部機構１４は、後述する基板１８（図５参照）に搭載されている。
【００１９】
ダイヤルスイッチ１７は、図１及び図２に示すように、矢印方向に回転してマニュアル，オート，セルフタイマ等の撮影モードを切り替えるスイッチを兼ねる回転部材であり、図１及び図２に示すように、外装材１０の上部に設けられている。ダイヤルスイッチ１７は、図５に示すように、軸部１７ａの上部に操作ダイヤル１７ｂが、下部に係合部１７ｃが、それぞれ設けられている。ダイヤルスイッチ１７は、外装材１０の内部に設けた可動接片１９と係合される。即ち、可動接片１９は、本体１９ａに係合孔１９ｂが形成されると共に、複数の切替接片１９ｃを有しており、係合孔１９ｂに係合部１７ｃを係合させることによってダイヤルスイッチ１７によって回動操作される。このとき、複数の切替接片１９ｃは、基板１８に形成された複数の導電回路１８ａの対応する導電回路１８ａと当接することにより、デジタルカメラ１を種々の撮影モードに切り替える。
【００２０】
以上のように構成されるデジタルカメラ１は、外装材１０の内部に内部機構１４及び撮像レンズ１５を収納すると共に、ダイヤルスイッチ１７と可動接片１９とを係合させ、レンズバリア１３を取り付けた前カバー１１を後カバー１２と嵌合させて組み立てられる。
【００２１】
このとき、デジタルカメラ１は、図１〜図４に示すように、前カバー１１及び後カバー１２の外縁部１１ｂ，１２ｃの表面に炭化層Ｌcが形成されている。このため、デジタルカメラ１は、炭化処理した外縁部１１ｂ，１２ｃの炭化層Ｌcが木材を炭化したものに比べて硬く、剥離し難いうえ、外縁部１１ｂ，１２ｃのみの炭化であり、略全面を炭化した場合に比べて前カバー１１や後カバー１２の変形が生じ難い。
【００２２】
しかも、デジタルカメラ１は、前カバー１１と後カバー１２との接合部である外縁部１１ｂ，１２ｃに炭化層Ｌcが形成されている。従って、デジタルカメラ１は、内部に収納した撮像素子１４ａ等の電子部品から発生する臭気が炭化層Ｌcに吸着され、外部に漏れ出してユーザに不快感を与えることがないので使い勝手も向上する。また、炭化層Ｌcは、外部から侵入する湿気を吸収するので、内部が乾燥状態に保持されて収納した電子部品の劣化が抑制される。
【００２３】
ここで、外縁部１１ｂ，１２ｃの炭化層Ｌcは、例えば、バーナーの火炎，焼き鏝，或いはレーザ光等によって形成する。図７に、例として、前カバー１１の外縁部１１ｂに炭化層Ｌcを焼き鏝にて形成する方法を示す。焼き鏝２０は、保持するための柄部２０ａと外縁部１１ｂに対応した形状を有する加熱部２０ｂとから構成される。炭化層Ｌcを形成するには、適温に加熱された加熱部２０ｂを外縁部１１ｂにあてがいながら、加熱部２０ｂを外縁部１１ｂに沿って一定速度で移動させればよい。
【００２４】
また、デジタルカメラ１は、図３に示すように、外装材１０を厚さ方向に貫通するレンズ孔１１ａや装着口１２ａの周面を炭化処理して炭化層Ｌcを形成すると、湿気や臭気がレンズ孔１１ａや装着口１２ａの炭化層Ｌcにおいても吸着される。この結果、デジタルカメラ１は、レンズ孔１１ａや装着口１２ａを通じた外部への臭気の漏れ出しや外部からの湿気の侵入が抑制され、湿気や臭気の吸着効果が更に向上する。さらに、ダイヤルスイッチ１７挿通用の貫通孔を形成する切欠き１１ｄ，１２ｅは、図６に示すように、周面を炭化処理して炭化層Ｌcを形成すると、炭化層Ｌcによって湿気や臭気が吸着され、切欠き１１ｄ，１２ｅを通じた外部への臭気の漏れ出しや外部からの湿気の侵入が抑制される。
【００２５】
尚、上記の実施の形態は、電子機器としてデジタルカメラの場合について説明した。しかし、本発明の電子機器は、圧縮木材からなる少なくとも２つの構成部分を接合部において接合して組み立てられる外装材を有していれば、携帯通信機器（主に携帯電話機），ＩＣレコーダ，ＰＤＡ，携帯テレビ，携帯ラジオ或いは各種家電製品のリモコン等の携帯型電子機器が対象となる。
【産業上の利用可能性】
【００２６】
以上のように、本発明にかかる電子機器は、圧縮木材からなる外装材を有する電子機器に有用であり、脱臭および吸湿の作用を有し、かつ、筐体の変形や、強度低下、電子回路の短絡等の不具合を生じない電子機器を実現することができる。
【図面の簡単な説明】
【００２７】
【図１】本発明の電子機器にかかる一例としてレンズバリアが閉じた状態のデジタルカメラを示す斜視図である。
【図２】図１のデジタルカメラにおいて、レンズバリアを開いた撮影モードの状態を示す斜視図である。
【図３】図１のデジタルカメラを撮像レンズの部分に沿って水平に切断した断面図である。
【図４】前カバーとレンズバリアとの係合状態を示す断面図である。
【図５】後カバーの炭化層及び回転部材であるダイヤルスイッチの取り付け構造を示す斜視図である。
【図６】ダイヤルスイッチと前カバー及び後カバーの切欠きによって形成された貫通孔に挿通したダイヤルスイッチを示す断面図である。
【図７】接合部の炭化処理の一例を示す概略図である。
【符号の説明】
【００２８】
１                  デジタルカメラ
１０                外装材
１１                前カバー
１１ａ              レンズ孔
１１ｂ              外縁部
１１ｃ              嵌合凹部
１１ｄ              切欠き
１１ｅ              ガイドレール
１２                後カバー
１２ａ              装着口
１２ｂ              蓋
１２ｃ              外縁部
１２ｄ              嵌合突条
１２ｅ              切欠き
１３                レンズバリア
１３ａ              摺動片
１４                内部機構
１４ａ              撮像素子
１４ｂ，１４ｃ      駆動回路
１４ｄ              記録装置
１４ｅ              接続端子
１５                撮像レンズ
１６                液晶モニタ
１７                ダイヤルスイッチ
１７ａ              軸部
１７ｂ              操作ダイヤル
１７ｃ              係合部
１８                基板
１８ａ              導電回路
１９                可動接片
１９ａ              本体
１９ｂ              係合孔
１９ｃ              切替接片
Ｌc                 炭化層
【図１】
2005353748.tif 000003
【図２】
2005353748.tif 000004
【図３】
2005353748.tif 000005
【図４】
2005353748.tif 000006
【図５】
2005353748.tif 000007
【図６】
2005353748.tif 000008
【図７】
2005353748.tif 000009